(57)【要約】      （修正有）【課題】簡易な作業で蓋部の開放を抑制することができると共に、組立状態の見栄えがよい箱用シートの提供を目的とする。【解決手段】箱用シートは、四角筒状部及び蓋部を有する箱型に組立可能であり、１枚の段ボールシートから形成される箱用シートであって、左右方向に連接され、組立状態で四角筒状部を構成する４つの側面パネル１〜４と、組立状態で対向する一対の側面パネル１、３の上縁に連接され、組立状態で先端同士が突き合わされ蓋部を構成する略方形状の一対の蓋フラップ５、６と、一対の蓋フラップ５、６の側縁に連接され、組立状態で蓋フラップ５、６の内側に折り返されると共に先端同士が突き合わされる少なくとも一対の折返し片７ａ、７ｂ、８ａ、８ｂと、蓋フラップ５、６が連接されていない他対の側面パネル２、４の上縁に連接されると共に折返し片７ａ、７ｂ、８ａ、８ｂに谷折り線９を介して連接される一対の内フラップ１０、１１とを備える。【選択図】図１
0003202577.tif 000002
【実用新案登録請求の範囲】
【請求項１】
四角筒状部及び蓋部を有する箱型に組立可能であり、１枚の段ボールシートから形成される箱用シートであって、
左右方向に連接され、組立状態で上記四角筒状部を構成する４つの側面パネルと、
組立状態で対向する一対の上記側面パネルの上縁に連接され、組立状態で先端同士が突き合わされ蓋部を構成する略方形状の一対の蓋フラップと、
上記一対の蓋フラップの側縁に連接され、組立状態で蓋フラップの内側に折り返されると共に先端同士が突き合わされる少なくとも一対の折返し片と、
上記蓋フラップが連接されていない他対の側面パネルの上縁に連接されると共に上記折返し片に谷折り線を介して連接される一対の内フラップと
を備える箱用シート。
【請求項２】
上記内フラップが連接される側面パネルの上縁に折り曲げ容易線が形成され、
この折り曲げ容易線の左右方向中央部が、その両端部よりも下方側に位置しており、
上記折り曲げ容易線の両端部がスリットから構成されている請求項１に記載の箱用シート。
【請求項３】
上記折り曲げ容易線のスリットが下方に傾斜している請求項２に記載の箱用シート。
【請求項４】
上記谷折り線の基端部がスリットから構成されている請求項１、請求項２又は請求項３に記載の箱用シート。
【請求項５】
上記一対の内フラップが、上記谷折り線の先端よりも先端側に突出する突出部を有し、
上記蓋フラップの側縁に対する上記突出部の折返し片側の先端及び上記谷折り線の基端を通る直線の傾斜角が５°以上２０°以下である請求項１から請求項４のいずれか１項に記載の箱用シート。
【考案の詳細な説明】
【技術分野】
【０００１】
本考案は、箱用シートに関する。
【背景技術】
【０００２】
従来、四角筒状部を有する箱型に組み立てられるシートとして、左右方向に連接される４つの側面パネルと、これらの側面パネルの上縁に連接される４つのフラップとを有する段ボールシートが用いられている。一般にこのような段ボールシートは、側面パネルによって四角筒状部を形成したうえ、対向する一対の側面パネルの上縁に連接される一対のフラップ（内フラップ）を内側に折り曲げ、さらに対向する他対の側面パネルの上縁に連接される一対のフラップ（外フラップ）を内側に折り曲げることで上蓋を形成可能に構成されている。
【０００３】
しかしながら、このように組み立てられた段ボール箱は、一対の外フラップの先端同士を封緘テープ等で封緘しないと上蓋が開放されてしまう。つまり、内側に折り曲げられた状態で各フラップには開封方向にシートの反力が働くので、上蓋の形状を保持し難い。
【０００４】
このような事情に鑑みて、今日では一対の内ラップ及び一対の外フラップを係合させることで上蓋の開放を防止可能な梱包ケースが発案されている（特開２００２−１６６９２１号公報参照）。
【０００５】
この公報に記載の梱包ケースは、内側に折り曲げられた状態で蓋部を構成する一対の第１天板フラップと、この第１天板フラップの上面に重ねられる一対の第２天板フラップとを有する。この梱包ケースは、一対の第２天板フラップがそれぞれ差込片を有し、一対の第１天板フラップに第２天板フラップの差込片を挿入するための切込線が形成されている。この梱包ケースは、一対の第１天板フラップの切込線に第２天板フラップの差込片を挿入することで、天板が閉じた状態を保持することができるとされている。
【０００６】
しかしながら、この梱包ケースは、組立状態で一対の第２天板フラップが一対の第１天板フラップの上面に配設されているため、見栄えがよくないという不都合を有する。また、この梱包ケースは、第２天板フラップの差込片を第１天板フラップの切込線に挿入する必要があるため、組立作業が煩雑になるおそれがある。
【先行技術文献】
【特許文献】
【０００７】
【特許文献１】特開２００２−１６６９２１号公報
【考案の概要】
【考案が解決しようとする課題】
【０００８】
本考案は、このような不都合に鑑みてなされたものであり、簡易な作業で蓋部の開放を抑制することができると共に、組立状態の見栄えがよい箱用シートの提供を目的とするものである。
【課題を解決するための手段】
【０００９】
上記課題を解決するためになされた本考案に係る箱用シートは、四角筒状部及び蓋部を有する箱型に組立可能であり、１枚の段ボールシートから形成される箱用シートであって、左右方向に連接され、組立状態で上記四角筒状部を構成する４つの側面パネルと、組立状態で対向する一対の上記側面パネルの上縁に連接され、組立状態で先端同士が突き合わされ蓋部を構成する略方形状の一対の蓋フラップと、上記一対の蓋フラップの側縁に連接され、組立状態で蓋フラップの内側に折り返されると共に先端同士が突き合わされる少なくとも一対の折返し片と、上記蓋フラップが連接されていない他対の側面パネルの上縁に連接されると共に上記折返し片に谷折り線を介して連接される一対の内フラップとを備える。
【００１０】
当該箱用シートは、一対の側面パネルの上縁に連接される略方形状の一対の蓋フラップを内側に折り曲げ、これら一対の蓋フラップの先端同士を突き合わせることで蓋部を形成可能に構成されている。当該箱用シートは、組立状態で蓋フラップの内側に折り返される一対の折返し片の先端同士が突き合わされることで蓋部を係止することができるので、一対の蓋フラップの開放方向への反力に抗して蓋部の開放を抑制することができる。また、当該箱用シートは、組立状態で略方形状の一対の蓋フラップが上面を構成するので、組立状態における見栄えがよい。
【００１１】
上記内フラップが連接される側面パネルの上縁に折り曲げ容易線が形成され、この折り曲げ容易線の左右方向中央部が、その両端部よりも下方側に位置しており、上記折り曲げ容易線の両端部がスリットから構成されているとよい。このように、上記折り曲げ容易線の両端部がスリットによって切断されていることで、上記折り曲げ容易線と上記谷折り線との間に画定される内フラップの左右方向両端部が、蓋フラップを閉鎖した状態で側面パネルの内側に入り込み、シートの折り曲げによる圧縮を回避することができる。これにより、上記内フラップの左右方向両端部のシートの圧縮の反力として内フラップを押し返すように作用するシートの復元力が小さくなる。そのため、上記蓋フラップの閉鎖状態を維持し易くなる。また、上記折り曲げ容易線の左右方向中央部が下方側に位置することによって、上記谷折り線上の各点から上記折り曲げ容易線までの垂直距離が、同じ点から蓋フラップの側縁までの垂直距離よりも長くなる。このため、上記蓋フラップを内側に折り曲げていくに従って、上記折り曲げ容易線を箱体の外側に向かって押し出す力が作用する。その結果、上記蓋フラップをこの蓋フラップが連接される側面パネルに対して垂直に折り曲げると、上記蓋フラップが折返し片を介して内フラップの上に重ねられ、これらのシートの厚さ分だけ内フラップが下方に押し込まれ、先端が箱体の内側に落ち込むようこの内フラップが連接される側面パネルに対して９０°以上折り返される。上記折り曲げ容易線を箱体の外側に向かって押し出す力は上記内フラップがこの内フラップが連接される側面パネルに対して略９０°となる状態で最大となるため、上記蓋フラップを完全に閉鎖し、上記内フラップを箱体の内側に９０°以上折り曲げた状態で安定状態となり、蓋フラップの閉鎖状態が維持される。
【００１２】
上記折り曲げ容易線のスリットが下方に傾斜しているとよい。このように、上記折り曲げ容易線のスリットが下方に傾斜していることによって、組立状態で上記一対の内フラップに連接される他対の側面パネルの上縁を両端部から左右方向外側にスムーズに逃がすことができ、蓋フラップの閉鎖状態を維持し易い。
【００１３】
上記谷折り線の基端部がスリットから構成されているとよい。このように、上記谷折り線の基端部がスリットから構成されていることによって、上記谷折り線及び上記蓋フラップの側縁の角として画定される折返し片の端部と上記内フラップとの間の折り曲げによる圧縮を抑制し、さらにシートの反力を低減することができる。また、上記折返し片の端部が圧縮され難いので、上記蓋フラップの閉鎖状態で内フラップを確実に押込むことができ、上記蓋フラップの閉鎖状態をより確実に維持することができる。
【００１４】
上記一対の内フラップが上記谷折り線の先端よりも先端側に突出する突出部を有しているとよく、上記蓋フラップの側縁に対する上記突出部の折返し片側の先端及び上記谷折り線の基端を通る直線の傾斜角としては、５°以上２０°以下が好ましい。上記蓋フラップの側縁に対する上記突出部の折返し片側の先端及び上記谷折り線の基端を通る直線の傾斜角が上記範囲内である場合、一対の蓋フラップを内側に折り曲げていくとこの一対の蓋フラップの内面と上記突出部とが接触し易い。そのため、一対の蓋フラップの先端同士を突き合わせるためには、上記突出部との接触状態を乗り越える必要がある。その結果、かかる構成によると、組立状態で一対の蓋フラップに対して開放する方向に力が働いたとしても、上記突出部がストッパーの役割を果たし、一対の蓋フラップの開放が抑えられる。
【考案の効果】
【００１５】
以上説明したように、本考案の箱用シートは、簡易な作業で蓋部の開放を抑制することができると共に、組立状態の見栄えがよい。
【図面の簡単な説明】
【００１６】
【図１】本考案の一実施形態に係る箱用シートを示す模式的平面図である。
【図２】図１の箱用シートを組み立ててなる箱を示す模式的斜視図である。
【図３】図２の箱の蓋部の組立途中の状態を示す模式的部分拡大図である。
【図４】図２の箱の蓋部を開いた状態を示す模式的部分拡大図である。
【図５】図２の箱の蓋部の組立途中の状態を示す模式的部分拡大図である。
【図６】図２の箱の模式的側面図である。
【図７】図１の箱用シートとは異なる形態に係る箱用シートを示す模式的部分平面図である。
【考案を実施するための形態】
【００１７】
以下、適宜図面を参照しつつ、本考案の実施の形態を詳説する。
【００１８】
［箱用シート］
図１の箱用シートは、四角筒状部及び蓋部を有する箱型に組立可能であり、１枚の段ボールシートから形成される。当該箱用シートは、左右方向に連接され、組立状態で四角筒状部を構成する４つの側面パネル（第１側面パネル１、第２側面パネル２、第３側面パネル３及び第４側面パネル４）と、組立状態で対向する一対の側面パネル（第１側面パネル１及び第３側面パネル３）の上縁に連接され、組立状態で先端同士が突き合わされ上記蓋部を構成する略方形状の一対の蓋フラップ５，６と、一対の蓋フラップ５，６の側縁に連接され、組立状態で蓋フラップ５，６の内側に折り返されると共に組立状態で先端同士が突き合わされる折返し片７ａ，７ｂ，８ａ，８ｂと、一対の蓋フラップ５，６が連接されていない他対の側面パネル（第２側面パネル２及び第４側面パネル４）の上縁に連接されると共に折返し片７ａ，７ｂ，８ａ，８ｂに谷折り線９を介して連接される一対の内フラップ１０，１１とを備える。
【００１９】
また、当該箱用シートは、対向する一対の側面パネル（第１側面パネル１及び第３側面パネル３）の下縁に連接される一対の下側外フラップ１２，１３と、対向する他対の側面パネル（第２側面パネル２及び第４側面パネル４）の下縁に連接される一対の下側内フラップ１４，１５と、第１側面パネル１の第２側面パネル２と連接されない側の側縁に連接される第１糊代部１６と、蓋フラップ５の折返し片７ａと連接されない側の側縁に連接される第２糊代部１７とを備える。なお、本明細書において「左右」とは、当該箱用シートを組み立ててなる箱における左右を意味する。また、「上」とは、当該箱用シートを組み立ててなる箱における上を意味し、「下」とは、その反対を意味する。さらに、「内側」とは、当該箱用シートを組み立ててなる箱における内側（物品が収容される内部空間側）を意味し、「外側」とは、その反対を意味する。
【００２０】
当該箱用シートは、第１側面パネル１及び第３側面パネル３の上縁に連接される略方形状の一対の蓋フラップ５，６を内側に折り曲げ、これら一対の蓋フラップ５，６の先端同士を突き合わせることで蓋部を形成可能に構成されている。当該箱用シートは、組立状態で蓋フラップ５，６の内側に折り返される折返し片７ａ，７ｂ，８ａ，８ｂの先端同士が突き合わされることで蓋部を係止することができるので、一対の蓋フラップ５，６の開放方向への反力に抗して蓋部の開放を抑制することができる。また、当該箱用シートは、組立状態で略方形状の一対の蓋フラップ５，６が上面を構成するので、組立状態における見栄えがよい。
【００２１】
当該箱用シートに用いられる段ボールシートとしては、波形状に形成された中芯原紙をライナーに貼り合わせたものであって、例えば波形状に形成された中芯原紙を１枚のライナーに貼り合わせた片面段ボールシート、片面段ボールシートの段頂にさらにライナーを貼り合わせた両面段ボールシート、両面段ボールシートの片側に片面段ボールシートの段頂を貼り合わせた複両面段ボールシート、複両面段ボールシートの片側に片面段ボールシートの段頂をさらに貼り合わせた複々両面段ボールシート等が挙げられる。これらの中でも、加工性、経済性、耐久性等の点から両面段ボールシートが好ましい。
【００２２】
（側面パネル及び第１糊代部）
第１側面パネル１、第２側面パネル２、第３側面パネル３及び第４側面パネル４（以下、「第１乃至第４側面パネル１〜４」ともいう。）は各々略方形状に形成されている。第１乃至第４側面パネル１〜４同士の境界、並びに第１側面パネル１及び第１糊代部１６の境界には折り曲げ容易線が形成されている。第１側面パネル１及び第３側面パネル３は略同形状に形成され、第２側面パネル２及び第４側面パネル４は略同形状に形成されている。また、第１側面パネル１及び第３側面パネル３の左右方向長さは、第２側面パネル２及び第４側面パネル４の左右方向長さよりも長い。当該箱用シートは、第１側面パネル１を第２側面パネル２の内側に折り重ね、続いて第４側面パネル４を第３側面パネル３の内側に折り重ねて、第１糊代部１６を第４側面パネル４の第３側面パネル３と連接される端縁と反対側の内側端縁に貼着することで四角筒状部を形成可能に構成されている。なお、当該箱用シートは、第１糊代部１６が第４側面パネル４の内側端縁に貼着される際に、第２糊代部１７が同時に内フラップ１１及び折返し片７ｂの内側端縁に貼着される。
【００２３】
第１乃至第４側面パネル１〜４の上縁には折り曲げ容易線１９，２０が形成されている。具体的には、一対の蓋フラップ５，６が連接される第１側面パネル１及び第３側面パネル３の上縁には型押しして形成された罫線からなる折り曲げ容易線１９が形成されており、一対の内フラップ１０，１１が連接される第２側面パネル２及び第４側面パネル４の上縁には交互に配される複数のスリット部２０ａ及び罫部２０ｂからなる折り曲げ容易線２０が形成されている。
【００２４】
第１側面パネル１及び第３側面パネル３の上縁に形成される一対の折り曲げ容易線１９は左右方向に直線状に伸びている。また、第２側面パネル２及び第４側面パネル４の上縁に形成される一対の折り曲げ容易線２０の端部は、第１側面パネル１及び第３側面パネル３の上縁に形成される一対の折り曲げ容易線１９から連続して形成されている。さらに、一対の折り曲げ容易線２０の左右方向中央部は、その両端部よりも下方側に位置している。加えて、一対の折り曲げ容易線２０の両端部にはスリット部２０ａが形成されている（つまり、一対の折り曲げ容易線２０の両端部はスリットから構成されている。）。具体的には、一対の折り曲げ容易線２０は、両端側から左右方向中央部にかけて下方に傾斜する一対の傾斜部位２５と、この一対の傾斜部位２５に連続する直線部位２６とを有しており、一対の傾斜部位２５が各々１個のスリットから構成されている（つまり、折り曲げ容易線２０の両端部のスリットが下方に傾斜している）。
【００２５】
当該箱用シートは、折り曲げ容易線２０の両端部がスリットによって切断されていることで、折り曲げ容易線２０と谷折り線９との間に画定される内フラップの左右方向両端部が、蓋フラップ５，６を閉鎖した状態で第１乃至第４側面パネル１〜４の内側に入り込み、シートの折り曲げによる圧縮を回避することができる。これにより、一対の内フラップ１０，１１の左右方向両端部のシートの圧縮の反力として一対の内フラップ１０，１１を押し返すように作用するシートの復元力が小さくなる。そのため、一対の蓋フラップ５，６の閉鎖状態を維持し易くなる。また、折り曲げ容易線２０の左右方向中央部が下方側に位置することによって、谷折り線９上の各点から折り曲げ容易線２０までの垂直距離が、同じ点から蓋フラップ５，６の側縁までの垂直距離よりも長くなる。このため、蓋フラップ５，６を内側に折り曲げていくに従って、折り曲げ容易線２０を箱体の外側に向かって押し出す力が作用する。その結果、蓋フラップ５，６を第１側面パネル１及び第３側面パネル３に対して垂直に折り曲げると、蓋フラップ５，６が折返し片７ａ，７ｂ，８ａ，８ｂを介して内フラップ１０，１１の上に重ねられ、これらのシートの厚さ分だけ内フラップ１０，１１が下方に押し込まれ、先端が箱体の内側に落ち込むよう第２側面パネル２及び第４側面パネル４に対して９０°以上折り返される。折り曲げ容易線２０を箱体の外側に向かって押し出す力は内フラップ１０，１１が第２側面パネル２及び第４側面パネル４に対して略９０°となる状態で最大となるため、蓋フラップ５，６を完全に閉鎖し、内フラップ１０，１１を箱体の内側に９０°以上折り曲げた状態で安定状態となり、蓋フラップ５，６の閉鎖状態が維持される。
【００２６】
当該箱用シートは、折り曲げ容易線２０の両端部のスリットが下方に傾斜していることによって、組立状態で第２側面パネル２及び第４側面パネル４の上縁を両端部から左右方向外側にスムーズに逃がすことができ、蓋フラップの閉鎖状態を維持し易い。
【００２７】
一対の折り曲げ容易線２０の直線部位２６の中央部には、上方に向けて突出するコ字状（逆Ｕ字状）のスリット部２０ａが配されている。これにより、第２側面パネル２及び第４側面パネル４の上縁の左右方向中央部には、上記コ字状のスリット部２０ａによって画定される突片１８が形成されている。当該箱用シートは、一対の折り曲げ容易線２０が、両端部から左右方向中央部にかけて下方に傾斜する一対の傾斜部位２５と、一対の傾斜部位２５に連続する直線部位２６とを有すると共に、第２側面パネル２及び第４側面パネル４の上縁の左右方向中央部に突片１８が形成されることによって、組立状態で一対の蓋フラップ５，６の先端の両側部を一対の突片１８によって外側から支持することができ、一対の蓋フラップ５，６の先端同士の突き合わせ状態を容易かつ確実に維持し易い。
【００２８】
一対の傾斜部位２５の両端間の上下方向距離は、蓋フラップ５，６及びこの蓋フラップ５，６の内側に折り返される折返し片７ａ，７ｂ，８ａ，８ｂの合計厚さと略等しいことが好ましい。具体的には、一対の傾斜部位２５の両端間の上下方向距離の下限としては、上記合計厚さの０．５倍が好ましく、上記合計厚さの０．７倍が好ましく、上記合計厚さの１倍がさらに好ましい。一方、一対の傾斜部位２５の両端間の上下方向距離の上限としては、上記合計厚さの２倍が好ましく、上記合計厚さの１．５倍がより好ましく、上記合計厚さの１．２倍がさらに好ましい。一対の傾斜部位２５の両端間の上下方向距離が上記下限に満たないと、組立状態で第２側面パネル２及び第４側面パネル４の上縁を両端部から左右方向外側に十分に逃がすことができないおそれがある。逆に、一対の傾斜部位２５の両端間の上下方向距離が上記上限を超えると、組立状態で一対の蓋フラップ５，６及び一対の蓋フラップ５，６の内側に折り返される折返し片７ａ，７ｂ，８ａ，８ｂが下方に落ち込み過ぎるおそれがある。
【００２９】
一対の傾斜部位２５の両端間の左右方向距離の下限としては、０．８ｃｍが好ましく、１ｃｍがより好ましく、１．２ｃｍがさらに好ましい。一方、一対の傾斜部位２５の両端間の左右方向距離の上限としては、３ｃｍが好ましく、２．５ｃｍがより好ましく、２ｃｍがさらに好ましい。一対の傾斜部位２５の両端間の左右方向距離が上記下限に満たないと、組立状態で第２側面パネル２及び第４側面パネル４の上縁を十分外側に逃がすことができないおそれがある。逆に、一対の傾斜部位２５の両端間の左右方向距離が上記上限を超えると、組立状態で一対の蓋フラップ５，６及び一対の蓋フラップ５，６の内側に折り返される折返し片７ａ，７ｂ，８ａ，８ｂと一対の傾斜部位２５とが干渉するおそれがある。
【００３０】
一対の傾斜部位２５の左右方向に対する平均傾斜角の下限としては、５°が好ましく、７°がより好ましく、９°がさらに好ましい。一方、一対の傾斜部位２５の左右方向に対する平均傾斜角の上限としては、２０°が好ましく、１８°がより好ましく、１７°がさらに好ましい。一対の傾斜部位２５の両端間の上下方向距離が上記下限に満たないと、組立状態で第２側面パネル２及び第４側面パネル４の上縁を両端部から左右方向外側に十分に逃がすことができないおそれがある。逆に、一対の傾斜部位２５の左右方向に対する平均傾斜角が上記上限を超えると、組立状態で一対の蓋フラップ５，６及び一対の蓋フラップ５，６の内側に折り返される折返し片７ａ，７ｂ，８ａ，８ｂと、第２側面パネル２及び第４側面パネル４の上縁との間に隙間が生じるおそれがある。
【００３１】
（蓋フラップ）
一対の蓋フラップ５，６は、上述のように略方形状に形成されている。各蓋フラップ５，６の幅は、これらの蓋フラップ５，６が連接される第１側面パネル１及び第３側面パネル３の左右方向長さと略等しい。
【００３２】
一対の蓋フラップ５，６の突出方向長さ（折り曲げ容易線１９から蓋フラップ５，６の先端までの長さ）の合計は第２側面パネル２及び第４側面パネル４の左右方向長さ以上とされる。一対の蓋フラップ５，６の突出方向の合計長さは第２側面パネル２及び第４側面パネル４の左右方向長さよりも長くてもよいが、この場合一対の蓋フラップ５，６の突出方向の合計長さの上限としては、第２側面パネル２及び第４側面パネル４の左右方向長さ＋５ｍｍが好ましく、第２側面パネル２及び第４側面パネル４の左右方向長さ＋４．５ｍｍがより好ましく、第２側面パネル２及び第４側面パネル４の左右方向長さ＋４ｍｍがさらに好ましい。一対の蓋フラップ５，６の突出方向の合計長さが上記上限を超えると、一対の蓋フラップ５，６の先端同士及び一対の蓋フラップ５，６の内側に折り返される折返し片７ａ，７ｂ，８ａ，８ｂの先端同士を突き合わせる作業効率が低下するおそれがある。なお、各蓋フラップ５，６の突出方向長さは等しいことが好ましい。
【００３３】
（折返し片）
折返し片７ａ，７ｂは組立状態で一方の蓋フラップ５の内側に折り返され、折返し片８ａ，８ｂは組立状態で他方の蓋フラップ６の内側に折り返される。また、一対の折返し片７ａ，８ａは組立状態で先端同士が突き合わされ、他対の折返し片７ｂ，８ｂは組立状態で先端同士が突き合わされる。
【００３４】
折返し片７ａ，７ｂ，８ａ，８ｂの先端縁は、一対の蓋フラップ５，６の先端縁及び一対の内フラップ１０，１１の先端縁と同一直線状に位置する。折返し片７ａ，７ｂ，８ａ，８ｂは、組立状態で第１乃至第４側面パネル１〜４の側縁に連接される連接端縁２７、この連接端縁２７の基端から先端方向に対して略４５°傾斜して伸びる第１傾斜端縁２８及び第１傾斜端縁２８の先端から連接端縁２７側かつ先端側に傾斜して伸びる第２傾斜端縁２９を有する。折返し片７ａ，７ｂ，８ａ，８ｂは、組立状態で連接端縁２７に沿って第１側面パネル１又は第３側面パネル３の内側に折り返される。
【００３５】
連接端縁２７には折り曲げ容易線が形成されており（但し、折返し片７ｂについては、組立状態で連接端縁２７に重ねられる蓋フラップ５の端縁に折り曲げ容易線が形成されている。）、この折り曲げ容易線は交互に配される複数のスリット部及び複数の罫部によって形成されている。さらに、この折り曲げ容易線の基端部には、スリット部が配されている（つまり、折り曲げ容易線の基端部はスリットから構成されている）。
【００３６】
第１傾斜端縁２８には、上述の谷折り線９が形成されている。また、谷折り線９は、交互に配される複数のスリット部及び複数の罫部によって形成されている。さらに、谷折り線９の基端部には、スリット部が配されている（つまり、谷折り線９の基端部はスリットから構成されている）。当該箱用シートは、谷折り線９の基端部がスリットから構成されていることによって、谷折り線９及び蓋フラップ５，６の側縁の角として画定される折返し片７ａ，７ｂ，８ａ，８ｂの端部と内フラップ１０，１１との間の折り曲げによる圧縮を抑制し、さらにシートの反力を低減することができる。また、折返し片７ａ，７ｂ，８ａ，８ｂの端部が圧縮され難いので、蓋フラップ５，６の閉鎖状態で内フラップ１０，１１を確実に押込むことができ、蓋フラップ５，６の閉鎖状態をより確実に維持することができる。
【００３７】
上記第２傾斜端縁２９はスリットによって画定されている。
【００３８】
連接端縁２７の長さに対する第１傾斜端縁２８の連接端縁２７と平行方向の長さの比の下限としては、０．３が好ましく、０．３５がより好ましく、０．４がさらに好ましい。一方、上記長さの比の上限としては、０．７が好ましく、０．６５がより好ましく、０．６がさらに好ましい。また、第２傾斜端縁２９の連接端縁２７に対する平均傾斜角の下限としては、１０°が好ましく、１２°がより好ましく、１５°がさらに好ましい。一方、第２傾斜端縁２９の連接端縁２７に対する平均傾斜角の上限としては、３０°が好ましく、２７°がより好ましく、２５°がさらに好ましい。上記長さ比及び平均傾斜角が上記範囲内であることによって、後述するように一対の内フラップ１０，１１の一対の先端部がストッパーの役割を果たすことで蓋部の開放を抑え易い。なお、「第２傾斜端縁の平均傾斜角」とは、第２傾斜端縁の両端を通る直線の傾斜角をいう。
【００３９】
（内フラップ）
一対の内フラップ１０，１１の外縁は、折り曲げ容易線２０、谷折り線９及び第２傾斜端縁２９を画定するスリットによって画定される。一対の内フラップ１０，１１は、折り曲げ容易線２０、谷折り線９及び谷折り線９の先端同士を結ぶ線分によって区画される基部と、谷折り線９の先端よりも先端側に突出する突出部とを有する。上記突出部の先端は一対の蓋フラップ５，６の先端と略同一直線状に位置している。具体的には、上記突出部は、谷折り線９の先端同士を結ぶ線分、第２傾斜端縁２９を区画するスリット及び一対の内フラップ１０，１１の先端縁によって区画されている。
【００４０】
蓋フラップ５，６の側縁に対する上記突出部の折返し片７ａ，７ｂ，８ａ，８ｂ側の先端及び谷折り線９の基端を通る直線の傾斜角αの下限としては、５°が好ましく、１０°がより好ましく、１５°がさらに好ましい。一方、上記傾斜角αの上限としては、２０°が好ましく、１９°がより好ましく、１８°がさらに好ましい。上記傾斜角αが上記範囲内である場合、一対の蓋フラップ５，６を内側に折り曲げていくとこの一対の蓋フラップ５，６の内面と上記突出部とが接触し易い。そのため、一対の蓋フラップ５，６の先端同士を突き合わせるためには、上記突出部との接触状態を乗り越える必要がある。その結果、かかる構成によると、組立状態で一対の蓋フラップ５，６に対して開放する方向に力が働いたとしても、上記突出部がストッパーの役割を果たし、一対の蓋フラップ５，６の開放が抑えられる。これに対し、上記傾斜角αが上記下限に満たないと、一対の蓋フラップ５，６の先端同士を突き合わせる際に一対の内フラップ１０，１１の先端が一対の蓋フラップ５，６の内面と必要以上に接触し、蓋部の開閉作業が困難になるおそれがある。逆に、上記傾斜角αが上記上限を超えると、一対の先端同士を突き合わせる際に一対の内フラップ１０，１１の先端が一対の蓋フラップ５，６の内面に接触せず、一対の内フラップ１０，１１によって蓋部の開放を抑制できないおそれがある。
【００４１】
（第２糊代部）
第２糊代部１７は、折り曲げ容易線を介して第１糊代部１６に連接されている。第２糊代部１７は、組立状態で内フラップ１１及び折返し片７ｂの内側端縁に貼着される。第２糊代部１７には、組立状態で内フラップ１１及び折返し片７ｂの境界と重なる部分に折り曲げ容易線が形成されている。また、この折り曲げ容易線は、スリット部及び罫部から構成されている。
【００４２】
（下側フラップ）
一対の下側外フラップ１２，１３及び一対の下側内フラップ１４，１５はそれぞれ略方形状に形成されている。一方の下側外フラップ１２には、先端中央部に凹部２１が形成されている。この下側外フラップ１２には、基端側の両端から先端に亘って中央側に傾斜する一対の弱化線２２が形成されている。他方の下側外フラップ１３には、先端中央部に突出部２３が形成されている。この下側外フラップ１３には、基端側の両端から先端に亘って中央側に傾斜する一対の弱化線２４が形成されている。
【００４３】
［箱］
図２の箱は、当該箱用シートを組み立ててなる。当該箱は、四角筒状部３１、底部３２及び蓋部３３を備える。以下、四角筒状部３１、底部３２及び蓋部３３の形成手順について説明する。
【００４４】
（四角筒状部形成手順）
四角筒状部３１の形成手順では、図１の当該箱用シートの第１糊代部１６を第４側面パネル４の第３側面パネル３と連接される端縁と反対側の内側端縁に貼着する。なお、第１糊代部１６を第４側面パネル４の内側端縁に貼着する際に、第２糊代部１７を内フラップ１１及び折返し片７ｂの内側端縁に同時に貼着する。
【００４５】
（底部形成手順）
底部３２の形成手順では、まず図１の箱用シートの一対の下側内フラップ１４，１５を内側に折り曲げる。続いて、一方の下側外フラップ１２の外面に他方の下側外フラップ１３を重ね合せ、この状態で他方の下側外フラップ１３をさらに内側に押し込み、突出部２３を凹部２１の内側に入り込ませる。ここで、一対の下側外フラップ１２，１３には、弱化線２２，２４が形成されているので、他方の下側外フラップ１３の押込みに応じて弱化線２２，２４が適度に折れ曲がり、他方の下側外フラップ１３を内側に十分に押し込むことができる。
【００４６】
（蓋部形成手順）
蓋部３３の形成手順では、図１の箱用シートの一対の蓋フラップ５，６を折り曲げ容易線１９を回転軸として内側に折り曲げる。当該箱用シートは、一対の蓋フラップ５，６の側縁に折り曲げ容易線を介して折返し片７ａ，７ｂ，８ａ，８ｂが連接され、さらに折返し片７ａ，７ｂ，８ａ，８ｂに谷折り線９を介して内フラップ１０，１１が連接されているので、一対の蓋フラップ５，６を内側に折り曲げることで、折返し片７ａ，７ｂ，８ａ，８ｂが一対の蓋フラップ５，６の内側に同時に折り返されると共に、内フラップ１０，１１が一対の蓋フラップ５，６の内側に同時に折り込まれる。また、当該箱用シートは、上述のように一対の内フラップ１０，１１が突出部を有し、これらの突出部の側縁はスリットによって画定されているので、図３に示すように、内フラップ１０が内側に折り込まれていくと、突出部１０ａの側縁の先端が一対の蓋フラップ５，６の内面に接触し、さらに内フラップ１０が内側に折り込まれることで、内フラップ１０は一対の蓋フラップ５，６の内側に入り込む。つまり、当該箱用シートは、組立状態から一対の蓋フラップ５，６を開放しようとする場合、一対の突出部との接触状態を乗り越える必要がある。そのため、当該箱用シートは、組立状態で一対の蓋フラップ５，６に対して開放する方向に力が働いたとしても、一対の突出部がストッパーの役割を果たし、一対の蓋フラップ５，６の開放が抑えられる。
【００４７】
また、当該箱用シートは、図４に示すように、第２側面パネル２及び第４側面パネル４の上縁に形成される折り曲げ容易線２０の各一対の傾斜部位２５がスリット部２０ａから構成されているので、図５に示すように内フラップ１０が内側に折り込まれると、内フラップ１０の基端側の端部１０ｂは第２側面パネル２の内側に入り込む。これにより、内フラップ１０の左右方向両端部のシートの圧縮の反力として内フラップ１０を押し返すように作用するシートの復元力が小さくなる。そのため、図６に示すように蓋フラップ５，６の閉鎖状態を維持し易くなる。
【００４８】
さらに、当該箱用シートは、図４に示すように、連接端縁２７に形成される折り曲げ容易線の基端部及び谷折り線９の基端部にスリット部が配されているので、折返し片７ａ，７ｂ，８ａ，８ｂ及び内フラップ１０，１１の間の折り曲げによる圧縮を抑制し、さらにシートの反力を低減することができる。また、折返し片折返し片７ａ，７ｂ，８ａ，８ｂの端部が圧縮され難いので、蓋フラップ５，６の閉鎖状態で内フラップ１０，１１を確実に押込むことができ、蓋フラップ５，６の閉鎖状態をより確実に維持することができる。
【００４９】
また、当該箱用シートは、図２及び図６に示すように、組立状態で一対の突片１８が蓋部３３の側面を外側から支持するので、蓋部３３の開放がさらに抑制される。
【００５０】
［その他の実施形態］
なお、本考案の箱用シートは、上記態様の他、種々の変更、改良を施した態様で実施することができる。例えば当該箱用シートは、上記一対の蓋フラップの両側縁から折り返される４つの折返し片を有していなくてもよい。当該箱用シートは、上記一対の蓋フラップの側縁のうち、組立状態で対向する一方の側縁から折り返される一対の折返し片のみを有する場合でも、上記一対の蓋フラップの先端同士及び上記一対の折返し片の先端同士を突き合わせることで蓋部の開放を抑制することができる。
【００５１】
当該箱用シートは、必ずしも上記内フラップが連接される第２側面パネル及び第４側面パネルの上縁に形成される折り曲げ容易線の左右方向中央部がその両端部よりも下方側に位置していなくてもよい。当該箱用シートは、例えば第２側面パネル及び第４側面パネルの上縁に形成される折り曲げ容易線の左右方向中央部がその両端部と同一の高さ位置に形成されている場合でも、一対の蓋フラップを下側に押し込むように折り曲げることで、これらの一対の蓋フラップの先端同士及び一対の蓋フラップの内側に折り返される折返し片の先端同士を突き合わせることができる。
【００５２】
また、当該箱用シートは、第２側面パネル及び第４側面パネルの上縁に形成される折り曲げ容易線の左右方向中央部がその両端部よりも下方側に位置している場合でも、この折り曲げ容易線が両端部から左右方向中央部にかけて下方に傾斜する一対の傾斜部位及び一対の傾斜部位に連続する直線部位を有していなくてもよい。当該箱用シートは、例えば上記折り曲げ容易線が両端部から左右方向の中央部に亘って傾斜する一対の傾斜部位のみから構成される場合でも、シートの潰れによる反力を防いで一対の蓋フラップの先端同士の突き合わせ状態を維持することができる。
【００５３】
さらに、当該箱用シートは、第２側面パネル及び第４側面パネルの上縁の左右方向中央部に必ずしも上記突片が形成されていなくてもよい。当該箱用シートは、上記突片が形成されていない場合でも、上記一対の蓋フラップの先端同士及び一対の蓋フラップの内側に折り返される折返し片の先端同士を突き合わせることで蓋部の開放を十分に抑制することができる。
【００５４】
当該箱用シートは、第２側面パネル及び第４側面パネルの上縁に形成される折り曲げ容易線の両端部がスリットから構成される必要はい。当該箱用シートは、例えば上記傾斜部位が罫部から構成される場合でも、例えば一対の蓋フラップを下側に押し込むように折り曲げることで、これらの一対の蓋フラップの先端同士及び一対の蓋フラップの内側に折り返される折返し片の先端同士を比較的容易に突き合わせることができる。
【００５５】
当該箱用シートは、必ずしも上記連接端縁に形成される折り曲げ容易線の基端部、及び上記谷折り線の基端部にスリット部が配される必要はない。当該箱用シートは、例えば上記折り曲げ容易線の基端部及び谷折り線の基端部に罫部が配される場合でも、一対の蓋フラップを内側に折り曲げることで、一対の蓋フラップの先端同士及び一対の蓋フラップの内側に折り返される折返し片の先端同士を突き合わせることができる。
【００５６】
当該箱用シートは、第１糊代部及び第２糊代部が連接されていなくてもよい。当該箱用シートは、例えば図７に示すように、第１糊代部４１及び第２糊代部４２が分断されていてもよい。当該箱用シートは、このように第１糊代部４１及び第２糊代部４２が分断されていることによって、内フラップの曲げによる反力をさらに弱め、一対の蓋フラップの先端同士の突き合わせ状態をより確実に維持し易い。
【産業上の利用可能性】
【００５７】
以上のように、本考案の箱用シートは、簡易な作業で蓋部の開放を抑制することができると共に、見栄えがよい箱を組み立てることができるので、保管用、輸送用等の箱用シートとして適している。
【符号の説明】
【００５８】
１  第１側面パネル
２  第２側面パネル
３  第３側面パネル
４  第４側面パネル
５，６  蓋フラップ
７ａ，７ｂ，８ａ，８ｂ  折返し片
９  谷折り線
１０，１１  内フラップ
１０ａ  突出部
１０ｂ  端部
１２，１３  下側外フラップ
１４，１５  下側内フラップ
１６，４１  第１糊代部
１７，４２  第２糊代部
１８  突片
１９，２０  折り曲げ容易線
２０ａ  スリット部
２０ｂ  罫部
２１  凹部
２２，２４  弱化線
２３  突出部
２５  傾斜部位
２６  直線部位
２７  連接端縁
２８  第１傾斜端縁
２９  第２傾斜端縁
３１  四角筒状部
３２  底部
３３  蓋部
【図１】
0003202577.tif 000003
【図２】
0003202577.tif 000004
【図３】
0003202577.tif 000005
【図４】
0003202577.tif 000006
【図５】
0003202577.tif 000007
【図６】
0003202577.tif 000008
【図７】
0003202577.tif 000009